(57)【特許請求の範囲】
【請求項１】
車両（１０）の室内（１４）が高温に放置された状況で、前記車両（１０）用の空調装置（１８）の送風機（１８ａ）を作動させて、前記室内（１４）の強制換気を行う強制換気装置であって、
ユーザによって携帯されるスマートエントリーシステム（１１０）用の携帯機（１１２）と、
前記車両（１０）に設けられて、前記携帯機（１１２）に対する呼掛け信号を電波送信して、前記呼掛け信号に電波応答する前記携帯機（１１２）からの応答信号を照合することで、前記車両（１０）のドア（１５）の施錠あるいは解錠を行う制御部（１１１ｃ）と、
前記ドア（１５）の窓（１６）を開閉する開閉機構（１７）と、を備え、
前記制御部（１１１ｃ）は、前記ユーザによる前記強制換気のためのモード設定が予め成されており、前記ユーザと共に前記携帯機（１１２）が、前記車両（１０）に近づいて、前記応答信号によって前記携帯機（１１２）の検知を可能とする所定の検知エリアに入り、前記応答信号の照合に成功すると、前記車両（１０）のイグニッションスイッチ（１２）をオンさせて、前記開閉機構（１７）によって前記窓（１６）を開き、前記空調装置（１８）に対して前記送風機（１８ａ）の作動を指示すると共に、前記呼掛け信号を前記車両（１０）の右側外部および左側外部に対して交互に送信することで、前記ユーザが前記右側外部あるいは前記左側外部のいずれ側から近づいているかを把握可能としており、
開かれる前記窓（１６）は、前記ユーザが近づいている側の窓であることを特徴とする強制換気装置。
【請求項２】
開かれる前記窓（１６）は、前記車両（１０）の後席側の窓（１６ｂ）であることを特徴とする請求項１に記載の強制換気装置。
【請求項３】
前記送風機（１８ａ）の作動時間を計時するタイマー（１２０）を備えており、
前記制御部（１１１ｃ）は、前記タイマー（１２０）によって計時される前記作動時間が、予め定めた所定時間を経過すると、開かれた前記窓（１６）を閉じ、前記送風機（１８ａ）を停止させ、前記イグニッションスイッチ（１２）をオフにすることを特徴とする請求項１または請求項２に記載の強制換気装置。
【請求項４】
前記制御部（１１１ｃ）は、前記タイマー（１２０）によって計時される前記作動時間が、前記所定時間に満たないときに、前記ユーザによって前記ドア（１５）の解錠を要求する操作があると、前記送風機（１８ａ）を作動させたまま、前記ドア（１５）の解錠を行うことを特徴とする請求項３に記載の強制換気装置。
【請求項５】
前記制御部（１１１ｃ）は、前記タイマー（１２０）によって計時される前記作動時間が、前記所定時間を経過しても、前記室内（１４）に前記携帯機（１１２）を検知しないと、前記ドア（１５）を施錠状態にすることを特徴とする請求項３または請求項４に記載の強制換気装置。
【請求項６】
前記送風機（１８ａ）の作動時間を計時するタイマー（１２０）を備えており、
前記制御部（１１１ｃ）は、前記タイマー（１２０）によって計時される前記作動時間が、予め定めた所定時間を経過し、前記室内（１４）に前記携帯機（１１２）を検知すると、前記窓（１６）を閉じ、前記送風機（１８ａ）を停止させ、前記車両（１０）の走行用駆動源（１１）を始動させることを特徴とする請求項１または請求項２に記載の強制換気装置。
【請求項７】
車両（１０）の室内（１４）が高温に放置された状況で、前記車両（１０）用の空調装置（１８）の送風機（１８ａ）を作動させて、前記室内（１４）の強制換気を行う強制換気装置であって、
ユーザによって携帯されるスマートエントリーシステム（１１０）用の携帯機（１１２）と、
前記車両（１０）に設けられて、前記携帯機（１１２）に対する呼掛け信号を電波送信して、前記呼掛け信号に電波応答する前記携帯機（１１２）からの応答信号を照合することで、前記車両（１０）のドア（１５）の施錠あるいは解錠を行う制御部（１１１ｃ）と、
前記ドア（１５）の窓（１６）を開閉する開閉機構（１７）と、
前記送風機（１８ａ）の作動時間を計時するタイマー（１２０）と、を備え、
前記制御部（１１１ｃ）は、前記ユーザによる前記強制換気のためのモード設定が予め成されており、前記ユーザと共に前記携帯機（１１２）が、前記車両（１０）に近づいて、前記応答信号によって前記携帯機（１１２）の検知を可能とする所定の検知エリアに入り、前記応答信号の照合に成功すると、前記車両（１０）のイグニッションスイッチ（１２）をオンさせて、前記開閉機構（１７）によって前記窓（１６）を開き、前記空調装置（１８）に対して前記送風機（１８ａ）の作動を指示すると共に、前記タイマー（１２０）によって計時される前記作動時間が、予め定めた所定時間を経過した後に、前記室内（１４）に前記携帯機（１１２）を検知した場合は、開かれた前記窓（１６）を閉じ、前記送風機（１８ａ）を停止させ、前記イグニッションスイッチ（１２）をオフにし、一方、前記室内（１４）に前記携帯機（１１２）を検知しない場合は、前記窓（１６）を閉じ、前記送風機（１８ａ）を停止させ、前記ドアを施錠状態にし、前記イグニッションスイッチ（１２）をオフにすることを特徴とする強制換気装置。
【発明の詳細な説明】
【技術分野】
【０００１】
本発明は、車両ドアの施錠および解除を行うスマートエントリーシステムを用いた強制換気装置に関するものである。
【背景技術】
【０００２】
従来の自動車用強制換気装置として、例えば、特許文献１に記載されたものが知られている。特許文献１の強制換気装置においては、キーレスエントリー装置からの換気指示信号に基づいてパワーウィンド装置のパワーウィンドモータと、空調装置のブロワモータと、空調装置の内外気切替えアクチュエータとに強制換気開始の制御指令が出力される。そして、この制御指令に基づいて、ドアガラスが下げられると共に、外気導入による送風が行われて、車室内が強制換気されるようになっている。
【０００３】
換気指示信号を出力するにあたっては、キーレスエントリー装置に設けられたリモコン送信機を用いて、ユーザが遠隔操作することで行われるようになっている。
【０００４】
これにより、炎天下の駐車等により高温となった車室内温度を乗車に先立って予め下げることができるようになっている。
【先行技術文献】
【特許文献】
【０００５】
【特許文献１】特開平３−３８４２５号公報
【発明の概要】
【発明が解決しようとする課題】
【０００６】
しかしながら、上記特許文献１の強制換気装置では、キーレスエントリー装置を活用したものであるので、換気を行う際に、ユーザは、リモコン送信機を都度、操作する必要が生ずる。また、特許文献１の強制換気装置は、車両遠方からのリモコン送信機の操作（遠隔操作）によるものであるので、車両の近くにユーザ本人がいない状況にもかかわらずドアガラスが下げられることになり、盗難等のセキュリティ上の不安が残る。
【０００７】
本発明の目的は、上記問題に鑑み、ユーザの操作による手間をなくし、またセキュリティ上も安心のできる強制換気装置を提供することにある。
【課題を解決するための手段】
【０００８】
本発明は上記目的を達成するために、以下の技術的手段を採用する。
【０００９】
本発明では、車両（１０）の室内（１４）が高温に放置された状況で、車両（１０）用の空調装置（１８）の送風機（１８ａ）を作動させて、室内（１４）の強制換気を行う強制換気装置であって、
ユーザによって携帯されるスマートエントリーシステム（１１０）用の携帯機（１１２）と、
車両（１０）に設けられて、携帯機（１１２）に対する呼掛け信号を電波送信して、呼掛け信号に電波応答する携帯機（１１２）からの応答信号を照合することで、車両（１０）のドア（１５）の施錠あるいは解錠を行う制御部（１１１ｃ）と、
ドア（１５）の窓（１６）を開閉する開閉機構（１７）と、を備え、
制御部（１１１ｃ）は、ユーザによる強制換気のためのモード設定が予め成されており、ユーザと共に携帯機（１１２）が、車両（１０）に近づいて、応答信号によって携帯機（１１２）の検知を可能とする所定の検知エリアに入り、応答信号の照合に成功すると、車両（１０）のイグニッションスイッチ（１２）をオンさせて、開閉機構（１７）によって窓（１６）を開き、空調装置（１８）に対して送風機（１８ａ）の作動を指示すると共に、呼掛け信号を車両（１０）の右側外部および左側外部に対して交互に送信することで、ユーザが右側外部あるいは左側外部のいずれ側から近づいているかを把握可能としており、
開かれる窓（１６）は、ユーザが近づいている側の窓であることを特徴としている。
【００１０】
この発明によれば、スマートエントリーシステム（１１０）における携帯機（１１２）と、制御部（１１１ｃ）とを用いたものとなっており、電波による呼掛け信号と応答信号とのやり取りによって、制御部（１１１ｃ）は、携帯機（１１２）が検知エリア内に入ったことを検知する。そして、制御部（１１１ｃ）は、強制換気のためのモード設定が予め成されており、応答信号の照合に成功すると、イグニッションスイッチ（１２）をオンさせて、開閉機構（１７）によって車両（１０）の窓（１６）を開き、空調装置（１８）の送風機（１８ａ）を作動させることで強制換気を実施する。
【００１１】
よって、携帯機（１１２）を携帯するユーザが、車両（１０）に近づくことで、自動的に強制換気が実施されるので、わざわざポケットやバッグ等から携帯機（１１２）を取り出して、手動操作する必要がなく、ユーザの操作の手間を無くすことができる。
【００１２】
また、強制換気を実施するにあたって、窓（１６）が開かれることで、効果的な換気が行われる。このとき、ユーザは、車両（１０）に対して検知エリア内にいることになり、窓（１６）が開かれた状態であっても、ユーザの眼前で実施される強制換気となるので、セキュリティ上も安心のできるものとなる。
更に、強制換気を実施するにあたって、ユーザが近づいている側の窓が開かれるので、ユーザは、換気が実施されることを眼前で確認することができる。また、開かれる窓側に第３者が近づいて来たとしても、第３者を眼前で認識し、迅速な対応が可能となるので、セキュリティ上の安心度を増すことができる。
【００１３】
尚、上記各手段の括弧内の符号は、後述する実施形態記載の具体的手段との対応関係を示すものである。
【図面の簡単な説明】
【００１４】
【図１】第１実施形態における強制換気装置を示す全体構成図である。
【図２】スマートエントリーシステムにおける車両側本体部、および携帯機を示す説明図である。
【図３】第１実施形態における本体制御部が実施する制御内容を示すフローチャートである。
【図４】第２実施形態における本体制御部が実施する制御内容を示すフローチャートである。
【図５】第３実施形態における本体制御部が実施する制御内容を示すフローチャートである。
【図６】第４実施形態における本体制御部が実施する制御内容を示すフローチャートである。
【発明を実施するための形態】
【００１５】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示していなくても実施形態同士を部分的に組み合せることも可能である。
【００１６】
（第１実施形態）
第１実施形態における強制換気装置１００について、図１〜図３を用いて説明する。第１実施形態の強制換気装置１００は、例えば、車両１０の室内１４が高温に放置された状態で、車両用の空調装置１８の送風機１８ａを作動させて、室内１４の強制換気を行う装置である。強制換気装置１００は、車両１０のドア１５の施錠および解錠を行うスマートエントリーシステム１１０、および計時用のタイマー１２０に、パワーウィンド装置１７および空調装置１８が関連付けされた装置となっている。
【００１７】
図１に示すように、車両１０は、例えば、走行用駆動源としてのエンジン１１を備えるエンジン車両である。車両１０の運転席は、車両の右側に設定されており、いわゆる右ハンドル車となっている。電源投入用のイグニッションスイッチ１２がオンされると、車両バッテリからエンジン１１を初め、後述する各装置に電力が供給されるようになっている。
【００１８】
イグニッションスイッチ１２は、例えば、ＬＩＮ（Ｌｏｃａｌ  Ｉｎｔｅｒｃｏｎｎｅｃｔ  Ｎｅｔｗｏｒｋ）や、ＣＡＮ（Ｃｏｎｔｒｏｌｌｅｒ  Ａｒｅａ  Ｎｅｔｗｏｒｋ  登録商標）等の車室内ネットワークバス１３に接続されている。尚、イグニッションスイッチ１２は、例えば、イグニッションスイッチ用の制御部を介して、車室内ネットワークバス１３に接続されるようにしてもよい。
【００１９】
車両１０にはユーザが乗降するためのドア１５として、左右（運転席側と助手席側）の前席側ドア１５ａ、および左右の後席側ドア１５ｂが設けられており、車両１０は４ドアタイプの車両となっている。各ドア１５ａ、１５ｂには、開閉時の握り手となるドアノブ１５ｃがそれぞれ設けられている。また、ドア１５には上下開閉式の窓（窓ガラス）１６が設けられている。窓１６は、前席側ドア１５ａに設けられた前席側窓１６ａと、後席側ドア１５ｂに設けられた後席側窓１６ｂとがある。よって、各窓１６ａ、１６ｂも各ドア１５ａ、１５ｂと同様に前後左右の４つの設定となっている。
【００２０】
パワーウィンド装置１７は、上記の各窓１６ａ、１６ｂを昇降させることで、各窓１６ａ、１６ｂを開閉する開閉機構となっている。パワーウィンド装置１７は、各窓１６ａ、１６ｂを昇降させるウィンドモータ１７ａと、このウィンドモータ１７ａの作動を制御するボディＥＣＵ１７ｂとを備えている。ウィンドモータ１７ａは、各窓１６ａ、１６ｂに対応するように各ドア１５ａ、１５ｂにそれぞれ設けられている。ボディＥＣＵ１７ｂは、車室内ネットワークバス１３に接続されている。
【００２１】
空調装置１８は、車両１０の室内１４の空調を行う装置であり、室内１４のインストルメントパネル１９の内側に配置されている。空調装置１８は、送風機１８ａ、空調部１８ｂ、および空調ＥＣＵ１８ｃ等を備えている。
【００２２】
送風機１８ａは、ファンとモータと備え、室内１４の空気（内気）、あるいは車両１０の外部空気（外気）を空調部１８ｂに導入して、空調部１８ｂの下流側に設けられた送風ダクト１８ｄ、および室内１４に開口する吹出し口１８ｅを介して室内１４に送風する機器となっている。吹出し口１８ｅは、インストルメントパネル１９に設けられている。
【００２３】
空調部１８ｂは、冷媒が循環される冷凍サイクル装置に設けられた冷却用熱交換器と、エンジン冷却水が循環されるヒータ回路に設けられた加熱用熱交換器とを備え、送風機１８ａによって送風された空気を冷却あるいは加熱して、ユーザの設定する設定温度となるように送風空気の温度を調節する機器となっている。
【００２４】
空調ＥＣＵ１８ｃは、上記の送風機１８ａ、および空調部１８ｂ等の作動を制御する空調制御部である。空調ＥＣＵ１８ｃは、車室内ネットワークバス１３に接続されている。
【００２５】
尚、空調装置１８には、冷凍サイクル装置を作動させる（冷房作動）ためのエアコンスイッチ、および内気あるいは外気のいずれかを導入するための内外気切替えスイッチが設けられている。
【００２６】
スマートエントリーシステム１１０は、各ドア１５ａ、１５ｂのキーシリンダーに直接、キーを差し込むことなく、更には、携帯機１１２を手操作等することなく、各ドア１５ａ、１５ｂの施錠および解錠を可能とするシステムとなっている。スマートエントリーシステム１１０は、図１、図２に示すように、車両側本体部１１１と、携帯機１１２とを備えており、且つ、上記のイグニッションスイッチ１２、パワーウィンド装置１７、および空調装置１８が連動するように構成されている。
【００２７】
車両側本体部１１１は、車両１０に設けられており、本体送信部１１１ａ、本体受信部１１１ｂ、および本体制御部１１１ｃ等を備えている。
【００２８】
本体送信部１１１ａは、長波としてのＬＦ（ｌｏｗ  Ｆｒｅｑｕｅｎｃｙ）波を用い、無線通信（電波通信）によって、車両１０の外部あるいは内部（室内１４）の携帯機１１２に対して呼掛け信号を送信する送信部となっている。本体送信部１１１ａは、呼掛け信号を送信する送信用アンテナとして形成されている。本体送信部１１１ａは、例えば、左右の前席側ドア１５ａのそれぞれに設けられている。本体送信部１１１ａによる呼掛け信号は、外部からのトリガを必要とせず、車両の停車時において間欠的に（所定の送信間隔で）送信されるものとなっている。
【００２９】
本体受信部１１１ｂは、携帯機１１２から送信される高周波としてのＲＦ（Ｒａｄｉｏ  Ｆｒｅｑｕｅｎｃｙ）波による応答信号を受信する受信部となっている。本体受信部１１１ｂは、応答信号を受信する受信用アンテナとして形成されている。本体受信部１１１ｂは、車両１０の外部あるいは内部（室内１４）からの携帯機１１２による応答信号を受信できるようになっている。本体受信部１１１ｂは、受信した応答信号を本体制御部１１１ｃに出力するようになっている。
【００３０】
本体制御部１１１ｃは、携帯機１１２に対して本体送信部１１１ａを介して呼掛け信号を出力すると共に、携帯機１１２からの応答信号を、本体受信部１１１ｂを介して受信する制御部となっている。本体制御部１１１ｃは、本発明の制御部に対応する。本体制御部１１１ｃは、車室内ネットワークバス１３に接続されている。
【００３１】
本体制御部１１１ｃは、各ドア１５ａ、１５ｂの施錠時あるいは解錠時において、検知エリア内で、携帯機１１２からの応答信号を受けると、受けた応答信号と本体制御部１１１ｃに予め登録された認証用信号とを照合する。更に、この照合が成功して、且つ、ユーザによるドアノブ１５ｃへの接触等の操作があると、各ドア１５ａ、１５ｂのロック機構に対して施錠あるいは解錠を行うための指令を出力するようになっている。ドアノブ１５ｃへの接触等の操作は、例えば、ドアノブ１５ｃの所定部位に触れる、あるいはドアノブ１５ｃを握る等の操作である。
【００３２】
ここで、検知エリアとは、本体送信部１１１ａからの呼掛け信号に対して、携帯機１１２（携帯制御部１１２ｂ）が応答可能となる領域であり、本体送信部１１１ａから問合せ信号が届き得る範囲の領域となる。具体的には、検知エリアは、主に本体送信部１１１ａが設けられた前席側ドア１５ａ（左右）と向かい合う領域であり、携帯機１１２を携帯するユーザが、車両１０に近づいて、眼前に車両を見て取れる程度の近距離（例えば、５ｍ〜１０ｍ程度の距離）となっている。
【００３３】
一方、携帯機１１２は、ユーザが携帯する携帯型キーであり、携帯受信部１１２ａ、携帯制御部１１２ｂ、携帯送信部１１２ｃ、ロックボタン１１２ｄ、およびアンロックボタン１１２ｅ等を備えている。
【００３４】
携帯受信部１１２ａは、本体送信部１１１ａから送信される呼掛け信号を受信して、後述する携帯制御部１１２ｂに出力する受信部となっている。携帯受信部１１２ａは、呼掛け信号を受信する受信用アンテナとして形成されている。
【００３５】
携帯制御部１１２ｂは、携帯受信部１１２ａから入力された呼掛け信号に基づいて、照合に必要とされる応答信号を携帯送信部１１２ｃに出力する制御部となっている。また、携帯制御部１１２ｂは、ロックボタン１１２ｄ、およびアンロックボタン１１２ｅのいずれか、あるいは両者の押下操作に伴う入力信号があると、本体制御部１１１ｃに対して、各入力信号に応じた要求信号を出力するようになっている（詳細後述）。
【００３６】
携帯送信部１１２ｃは、携帯制御部１１２ｂからの応答信号、あるいは要求信号を本体受信部１１１ｂに送信する送信部となっている。携帯送信部１１２ｃは、応答信号、あるいは要求信号を送信するアンテナとして形成されている。
【００３７】
ロックボタン１１２ｄは、ユーザによって押下されることで、呼掛け信号に関係なく、ドア１５の施錠のための入力を行う入力部となっている。具体的には、ロックボタン１１２ｄは、ドア１５のロック（施錠）を要求するドアロック要求信号を生成して、携帯制御部１１２ｂに出力するようになっている。ドアロック要求信号は、携帯制御部１１２ｂから本体制御部１１１ｃに送信される。
【００３８】
アンロックボタン１１２ｅは、ロックボタン１１２ｄと同様に、ユーザによって押下されることで、呼掛け信号に関係なく、ドア１５の解錠のための入力を行う入力部となっている。具体的には、アンロックボタン１１２ｅは、ドア１５のアンロック（解錠）を要求するドアアンロック要求信号を生成して、携帯制御部１１２ｂに出力するようになっている。ドアアンロック要求信号は、携帯制御部１１２ｂから本体制御部１１１ｃに送信される。
【００３９】
上記の各ボタン１１２ｄ、１１２ｅは、基本的には、それぞれ、上記の各要求に応じていずれか１つが選択されて押下されるボタンとなっている。しかしながら、それとは別に、本実施形態では、各ボタン１１２ｄ、１１２ｅは、本来使用される押下操作とは異なる要領で操作されたときに、強制換気を実施するための強制換気要求信号を生成して、携帯制御部１１２ｂに出力できるようになっている。強制換気要求信号は、携帯制御部１１２ｂから本体制御部１１１ｃに送信される。
【００４０】
強制換気要求信号を生成するための、本来使用される押下操作とは異なる要領の操作とは、例えば、２つのボタン１１２ｄ、１１２ｅの両者が同時に押下された場合、あるいは、２つのボタン１１２ｄ、１１２ｅが順番に押下された場合等とすることができる。
【００４１】
タイマー１２０は、後述する強制換気制御時の送風機１８ａの作動時間を計時する計時手段となっており、本体制御部１１１ｃに接続されている。
【００４２】
上記のように構成される強制換気装置１００の作動について、図３のフローチャートを加えて説明する。尚、図３のフローチャートは、本体制御部１１１ｃが行う制御内容を示している。
【００４３】
まず、ユーザは、特に夏場における強制換気が必要であるとすると、事前に、携帯機１１２の各ボタン１１２ｄ、１１２ｅの押下操作によって、強制換気モードの設定を行っておく。例えば、ユーザは、２つのボタン１１２ｄ、１１２ｅの両者を同時に押下する、あるいは、２つのボタン１１２ｄ、１１２ｅを順番に押下する等によって、強制換気要求信号を生成して、携帯制御部１１２ｂから本体制御部１１１ｃに送信しておく。
【００４４】
強制換気モード設定が成された場合は、図３に示す制御フローに基づいて、強制換気制御が実施されることになる。この強制換気モードが実施されるシチュエーションは、例えば炎天下で駐車場に車両１０が停車されており、用事を終えてユーザが再び運転するために車両に近づいていく場面である。
【００４５】
まず、ステップＳ１００で、本体制御部１１１ｃは、強制換気モードの設定があるか否かを判定し、設定ありと判定するとステップＳ１１０に進む。ステップＳ１００で、否と判定すれば、ステップＳ１００を繰り返す。
【００４６】
ステップＳ１１０では、本体制御部１１１ｃは、ユーザを検知したか否かを判定する。具体的には、本体制御部１１１ｃは、ユーザが携帯する携帯機１１２からの応答信号に基づいて、検知エリア内に携帯機１１２を検知したか否かを判定する。更には、本体制御部１１１ｃは、応答信号の照合ができたか否かを判定する。
【００４７】
つまり、本体制御部１１１ｃは、停車時において間欠的に呼掛け信号を送信している。ユーザが検知エリア内に入ると、携帯機１１２は、呼掛け信号を検知可能となって、この呼掛け信号に対して応答信号を本体制御部１１１ｃに送信する。これによって、本体制御部１１１ｃは、検知エリア内における携帯機１１２の存在を確認するのである。このとき、本体制御部１１１ｃは、応答信号と、自身が有する認証用信号とを照合し、照合に成功すると、この携帯機１１２は、車両１０に設定された正しい携帯機１１２であることを認証する。
【００４８】
そして、ステップＳ１１０で、本体制御部１１１ｃは、肯定判定、つまり携帯機１１２の検知と認証とを行うと、ステップＳ１２０に進み、否定判定するとステップＳ１１０を繰り返す。
【００４９】
ステップＳ１２０では、本体制御部１１１ｃは、イグニッションスイッチ１２をオンにし、窓１６を開けて、送風機１８ａを作動させることで強制換気を実施する。具体的には、本体制御部１１１ｃは、車室内ネットワークバス１３を介して接続されるイグニッションスイッチ１２に直接、あるいは、イグニッションスイッチ用の制御部が設けられる場合は、この制御部にイグニションスイッチオンの指令を出力する。
【００５０】
また、本体制御部１１１ｃは、車室内ネットワークバス１３を介して接続されるボディＥＣＵ１７ｂに対して、窓１６を開けるための指令を出力する。開かれる窓１６は、例えば、後席側窓１６ｂとなっている。後席側窓１６ｂは、例えば、予め定められた所定の開度で開かれるようになっている。
【００５１】
また、本体制御部１１１ｃは、車室内ネットワークバス１３を介して接続される空調ＥＣＵ１８ｃに対して、送風機１８ａを作動させるための指令を出力する。送風機１８ａは、例えば、ＭＡＸ電圧が印加されてフルパワーで作動するようになっている。送風機１８ａは、空調装置１８におけるエアコンスイッチのオンオフ、内外気切替えスイッチの設定に関わらず、作動されるようになっている。このとき、本体制御部１１１ｃは、タイマー１２０による計時をスタートさせる。
【００５２】
次に、ステップＳ１３０で、本体制御部１１１ｃは、タイマー１２０による計時がタイムアップしたか否かを判定する。具体的には、本体制御部１１１ｃは、タイマー１２０による計時時間、つまり、送風機１８ａの作動時間が、予め定めた所定時間を過ぎたか否かを判定する。ステップＳ１３０で、本体制御部１１１ｃは、肯定判定するとステップＳ１４０に進み、否定判定するとステップＳ１３０を繰り返す。
【００５３】
ステップＳ１４０では、本体制御部１１１ｃは、室内１４にユーザ（携帯機１１２）を検知したか否かを判定する。具体的には、本体制御部１１１ｃは、室内１４に送信している呼掛け信号に対して携帯機１１２が応答したか否かをもって、室内１４に携帯機１１２があるか否かを判定する。これは、車両１０に近づいたユーザがドアノブ１５ｃへの接触操作を行い、ドア１５を解錠して、車両１０に乗車したか否かを示す内容となる。
【００５４】
ステップＳ１４０で肯定判定すると、本体制御部１１１ｃは、ステップＳ１５０で、窓１６を閉じ、送風機１８ａを停止させ、併せて、イグニッションスイッチ１２をオフにすることで強制換気を終了させる。このステップＳ１５０での対応は、具体的には、本体制御部１１１ｃは、ボディＥＣＵ１７ｂに対して、窓１６を閉めるための指令を出力し、また、空調ＥＣＵ１８ｃに対して、送風機１８ａを停止させるための指令を出力し、イグニッションスイッチ１２（あるいはイグニッションスイッチ用の制御部）に対するオフの指令を出力することで対応する。
【００５５】
一方、ステップＳ１４０で否定判定すると、本体制御部１１１ｃは、ステップＳ１６０で、窓１６を閉じ、送風機１８ａを停止させ、ドア１５の施錠を行い、併せて、イグニッションスイッチ１２をオフにする。窓１６の閉成、送風機１８ａの停止、イグニッションスイッチ１２のオフ要領は、上記ステップＳ１５０と同様である。
【００５６】
上記実施制御項目のうち、ドア１５の施錠については、ユーザが室内１４内に一旦乗車して、例えば別の用事を思い出して、車から降りた場合であると、ドア１５は解錠された状態となっている可能性があるので、本体制御部１１１ｃは、ドア１５の施錠を行う。また、ユーザが車両１０に近づいていったものの、途中で別の用事を思い出して、乗車せずに離れていった場合であると、ドア１５の解錠は行われていない（施錠のまま）ことになる。この状態であると、本体制御部１１１ｃは、ドア１５の施錠状態を維持する。
【００５７】
以上のように、本実施形態では、スマートエントリーシステム１１０における携帯機１１２と、本体制御部１１１ｃとを用いたものとなっており、電波による呼掛け信号と応答信号とのやり取りによって、本体制御部１１１ｃは、携帯機１１２が検知エリア内に入ったことを検知する。そして、本体制御部１１１ｃは、強制換気のためのモード設定が予め成されており、応答信号の照合に成功すると、イグニッションスイッチ１２をオンさせて、パワーウィンド装置１７によって車両１０の窓１６を開き、空調装置１８の送風機１８ａを作動させることで強制換気を実施する。
【００５８】
よって、携帯機１１２を携帯するユーザが、車両１０に近づくことで、自動的に強制換気が実施されるので、わざわざポケットやバッグ等から携帯機１１２を取り出して、手動操作する必要がなく、ユーザの操作の手間を無くすことができる。
【００５９】
また、強制換気を実施するにあたって、窓１６が開かれることで、効果的な換気が行われる。このとき、ユーザは、車両１０に対して検知エリア内にいることになり、窓１６が開かれた状態であっても、ユーザの眼前で実施される強制換気となるので、セキュリティ上も安心できるものとなる。
【００６０】
また、本実施形態では、強制換気のときに開かれる窓１６は、車両１０の後席側の窓１６ｂとしている。通常、車両１０における空調装置１８の吹出し口１８ｅは、室内１４の前部（インストルメントパネル１９）に設けられている。よって、開かれる窓１６を後席側の窓１６ｂとすることで、送風される空気が室内１４の前方から後方に流れ、後席側窓１６ｂから外部に抜けていくことになるので、室内１４全体の効果的な換気が可能となる。
【００６１】
また、本実施形態では、送風機１８ａの作動時間を計時するタイマー１２０を備えており、本体制御部１１１ｃは、タイマー１２０によって計時される送風機１８ａの作動時間が、予め定めた所定時間を経過すると、開かれた窓１６を閉じ、送風機１８ａを停止させ、イグニッションスイッチ１２をオフにするようになっている。
【００６２】
このように、タイマー１２０の計時によって、自動的に強制換気を停止することができる。また、イグニッションスイッチ１２をオフとすることで、バッテリにおける不要な電力消費を抑えることができる。
【００６３】
また、本実施形態では、本体制御部１１１ｃは、タイマー１２０によって計時される送風機１８ａの作動時間が、所定時間を経過しても、室内１４に携帯機１１２を検知しないと、ドア１５を施錠状態にするようになっている。
【００６４】
これにより、携帯機１１２が、検知エリア内に入って所定時間経過しても、室内１４に携帯機１１２が検知されないと、ユーザは、一旦、車両に近づいたものの、乗車しなかったと判断されるので、この場合は、ドア１５を施錠状態とする（施錠状態を維持する）ことでセキュリティ上の問題が発生することが無い。
【００６５】
（第２実施形態）
第２実施形態を図４に示す。本実施形態は、上記第１実施形態に対して、強制換気を実施する際に、ユーザが車両１０のどちら側から近づいてくるのかを把握できるようにして、近づいてくる側の窓１６を開くようにしたものである。図４のフローチャートは、上記第１実施形態で説明した図３のステップＳ１２０を、ステップＳ１２１、Ｓ１２２、Ｓ１２３に変更したものである。
【００６６】
本体制御部１１１ｃは、ステップＳ１１０で、携帯機１１２が検知エリアにあり、応答信号の照合に成功したと判定すると、ステップＳ１２１で、まず、イグニッションスイッチ１２をオンにすると共に、送風機１８ａを作動させて、速やかに強制換気を開始する。
【００６７】
そして、ステップＳ１２２で、本体制御部１１１ｃは、左右の前席側ドア１５ａにおける本体送信部１１１ａからの呼掛け信号を、右側外部（運転席側外部）および左側外部（助手席側外部）に対して交互に送信することで、ユーザが車両１０の左右のどちら側から近づいてくるのかを把握する。つまり、左右の前席側ドア１５ａのうち、右側の前席側ドア１５ａから送信された呼掛け信号に携帯機１１２が応答した場合は、ユーザは、車両１０の右側から近づいていると把握される。同様に、左右の前席側ドア１５ａのうち、左側の前席側ドア１５ａから送信された呼掛け信号に携帯機１１２が応答した場合は、ユーザは、車両１０の左側から近づいていると把握される。
【００６８】
次に、ステップＳ１２３で、本体制御部１１１ｃは、窓１６を開ける際に、ユーザが近づいてくる側の窓１６を開ける。この場合、開かれる窓は、ユーザが近づいてくる側であり、前席側と後席側のうち、後席側窓１６ｂとするのが望ましい。
【００６９】
これにより、強制換気を実施するにあたって、ユーザが近づいている側の窓が開かれるので、ユーザは、換気が実施されることを眼前で確認することができる。また、開かれる窓側に第３者が近づいて来たとしても、第３者を眼前で認識し、迅速な対応が可能となるので、セキュリティ上の安心度を増すことができる。
【００７０】
（第３実施形態）
第３実施形態を図５に示す。本実施形態は、上記第１実施形態に対して、強制換気の実施によって送風機１８ａを作動させているときに、ユーザによってドア１５の解錠を要求する操作があると、送風機１８ａを作動させたまま、ドア１５の解錠を行うようにしたものである。図５のフローチャートは、上記第１実施形態で説明した図３に対して、ステップＳ１３１、Ｓ１３２を追加したものである。
【００７１】
具体的には、本体制御部１１１ｃは、ステップＳ１２０の後にステップＳ１３０で、タイマー１２０による送風機１８ａの作動時間が所定時間を過ぎていないと判定すると、ステップＳ１３１に移行し、ユーザによるドアノブ１５ｃへの接触等の操作（ドア１５の解錠要求操作）があったか否かを判定する。
【００７２】
そして、ステップＳ１３１で、肯定判定すると、本体制御部１１１ｃは、ステップＳ１３２で、送風機１８ａを作動させたまま、ドア１５の解錠を行い、ステップＳ１３０に戻る。
【００７３】
これにより、強制換気中（送風機１８ａが作動中）であっても、解錠要求操作をすれば、ドア１５は解錠されるので、ユーザは速やかに乗車することができる。
【００７４】
（第４実施形態）
第４実施形態を図６に示す。本実施形態は、上記第１実施形態に対して、強制換気の実施によって送風機１８ａを所定時間作動させた後に、室内１４に携帯機１１２を検知すると、エンジン１１を始動させるようにしたものである。図６のフローチャートは、上記第１実施形態で説明した図３のステップＳ１５０を、ステップＳ１５１に変更したものである。
【００７５】
本実施形態では、本体制御部１１１ｃは、エンジン１１を始動させるためのスタートスイッチと関連付けされている。本体制御部１１１ｃは、スタートスイッチに対して、エンジン１１の始動を要求することで、エンジン１１の始動が可能となっている。
【００７６】
本体制御部１１１ｃは、ステップＳ１３０で、送風機１８ａの作動時間が所定時間を経過したと判定すると、ステップＳ１４０で室内１４にユーザ（携帯機１１２）を検知したかを判定する。
【００７７】
そして、ステップＳ１４０で肯定判定すると、本体制御部１１１ｃは、ステップＳ１５１で、窓１６を閉じ、送風機１８ａを停止させることで強制換気を終了させ、併せて、エンジン１１を始動させる。
【００７８】
これにより、送風機１８ａの作動後、所定時間が経過されると自動的に強制換気が終了される。更に、室内１４に携帯機１１２が検知されれば、ユーザは乗車したものと判断される。この状況において、エンジン１１が始動されることで、ユーザは、すぐに運転を開始することができる。つまり、強制換気の実施、終了、およびその後の運転のスタートをスムースに行うことができる。
【００７９】
（その他の実施形態）
上記各実施形態では、強制換気モードを設定するための入力手段として、携帯機１１２におけるロックボタン１１２ｄ、アンロックボタン１１２ｅを活用するものとして説明した。しかしながら、これに代えて、例えば、インストルメントパネル１９における車両用操作パネル等に設けられる専用メカスイッチ、あるいは車両情報表示用の画面上のタッチスイッチ等としてもよい。更には、本体制御部１１１ｃに接続される端末機を用いたものとしてもよい。
【００８０】
また、上記各実施形態では、本体送信部１１１ａは、左右の前席側ドア１５ａに設けられるものとして説明したが、左右の後席側ドア１５ｂ、更には、後部トランク等にも設けられるようにしてもよい。これにより、より広い範囲で、車両に近づいてくるユーザ（携帯機１１２）を検知することができるようになる。
【００８１】
あるいは、本体送信部１１１ａは、左右の前席側ドア１５ａ、左右の後席側ドア１５ｂ、更には後部トランクに設けられるものとして、最初の強制換気モードの設定時に、どの部位の本体送信部１１１ａを機能させるようにするかを、ユーザが選択設定できるようにしてもよい。
【００８２】
また、上記各実施形態では、強制換気を実施する際に開けられる窓は、後席側窓１６ｂとしたが、これに限定されるものではなく、送風機１８ａの換気能力、または換気させたい室内１４の領域等に応じて、前席側窓１６ａを開くようにしてもよい。更には、開けられる窓は、後席側窓１６ｂと前席側窓１６ａ（他の窓）との組合せとしてもよい。
【００８３】
あるいは、開けられる窓は、最初の強制換気モードの設定時に、どの部位の窓を開けるようにするかを、ユーザが選択設定できるようにしてもよい。
【００８４】
また、上記各実施形態では、強制換気を実施する際の窓１６の開度は、所定開度とした。所定開度とは、小開度、中開度、大開度等、任意の大きさの開度を意味している。更には、最初の強制換気モードの設定時に、どの程度の開度にするかを、ユーザが設定できるようにしてもよい。
【００８５】
また、上記各実施形態では、強制換気時に作動される送風機１８ａの印加電圧は、ＭＡＸ電圧となるようにしたが、これに限らず、任意の電圧として設定してもよい。
【符号の説明】
【００８６】
１０  車両
１１  エンジン（走行用駆動源）
１２  イグニッションスイッチ
１４  室内
１５  ドア
１６  窓
１６ｂ  後席側窓
１７  パワーウィンド装置（開閉機構）
１８  空調装置
１８ａ  送風機
１００  強制換気装置
１１１ｃ  本体制御部（制御部）
１１２  携帯機
１２０  タイマー
１７３  トランクボタン（入力部）
【図１】
0006327116.tif 000002
【図２】
0006327116.tif 000003
【図３】
0006327116.tif 000004
【図４】
0006327116.tif 000005
【図５】
0006327116.tif 000006
【図６】
0006327116.tif 000007